(57)【要約】【課題】　給紙カセットの用紙タイプ設定における煩わしさを解消することができ，使い勝手をよくする。【解決手段】　１つ以上の給紙カセットを備えた装置の用紙タイプ設定方法において，給紙カセットの開閉状態と給紙カセットの用紙有無とから用紙タイプ設定対象カセットを決定する第１段階（ステップＳ２１０）と，装置に設けられた表示部に用紙タイプ設定対象カセットについての用紙タイプ設定メニューを表示するか否かを判断する第２段階（ステップＳ２２０）と，第２段階における判断の結果，表示部に用紙タイプ設定メニューを表示した場合に，表示された用紙タイプ設定メニューにて用紙タイプ設定対象カセットに装着された用紙タイプを設定する第３段階と（ステップＳ２３０）を有する。【選択図】　　図２
2004034711.tif 000002
【特許請求の範囲】
【請求項１】
１つ以上の給紙カセットを備えた装置の用紙タイプ設定方法において，
　前記給紙カセットの開閉状態と前記給紙カセットの用紙有無とから用紙タイプ設定対象カセットを決定する第１段階と，
　前記装置に設けられた表示部に前記用紙タイプ設定対象カセットについての用紙タイプ設定メニューを表示するか否かを判断する第２段階と，
　前記第２段階における判断の結果，前記表示部に前記用紙タイプ設定メニューを表示した場合に，表示された前記用紙タイプ設定メニューにて前記用紙タイプ設定対象カセットに装着された用紙タイプを設定する第３段階と，
　を有することを特徴とする給紙カセットを備えた装置の用紙タイプ設定方法。
【請求項２】
前記第１段階はさらに，
　前記給紙カセットの開状態を感知する第１１段階と，
　開いた給紙カセットの閉状態を感知する第１２段階と，
　前記第１１段階と第１２段階とに基づいて順次開状態と閉状態とが感知された給紙カセットのうちの用紙が装着されている給紙カセットを用紙タイプ設定対象に決定する第１３段階と，
　を有することを特徴とする請求項１に記載の給紙カセットを備えた装置の用紙タイプ設定方法。
【請求項３】
前記第１段階は，
　前記第１１段階と第１２段階とで順次開状態と閉状態とが感知された給紙カセットのうちの用紙が装着されていない給紙カセットについては，開状態の認識された給紙カセット情報からその給紙カセットを削除する第１４段階をさらに含むことを特徴とする請求項２に記載の給紙カセットを備えた装置の用紙タイプ設定方法。
【請求項４】
前記第２段階は，
　前記用紙タイプ設定動作より表示優先度の高い状況が発生したか否かを判断する第２１段階と，
　前記第２１段階にて前記用紙タイプ設定動作より表示優先度の高い状況が発生していないと判断した場合，前記用紙タイプ設定対象カセットの用紙タイプ設定メニューを前記表示部に表示することを決定する第２２段階と，
　前記第２１段階にて前記用紙タイプ設定動作より表示優先度の高い状況が発生したと判断した場合，メニュー初期状態に転換して前記表示部に表示する第２３段階と，
　を有することを特徴とする請求項１に記載の給紙カセットを備えた装置の用紙タイプ設定方法。
【請求項５】
前記第３段階はさらに，
　前記第２段階における判断結果に基づいて，前記用紙タイプ設定対象カセットについての用紙タイプ設定メニューを前記表示部に表示する第３１段階と，
　表示された用紙タイプ設定メニューでユーザが用紙タイプ設定動作を完了したか否かを判断する第３２段階と，
　前記第３２段階において，ユーザが用紙タイプ設定動作を完了できていないと判断した場合，所定時間以内にユーザからのキーデータ入力の有無を判断する第３３段階と，
　前記第３２段階において，ユーザが用紙タイプ設定動作を完了したと判断した場合，追加で用紙タイプ設定対象カセットがあり，用紙タイプ設定動作が表示優先度の高い場合には，前記第３１段階の処理に戻る第３４段階と，
　を有することを特徴とする請求項１に記載の給紙カセットを備えた装置の用紙タイプ設定方法。
【請求項６】
前記第３３段階において，所定時間以内にユーザからのキーデータが入力されたと判断した場合，前記第３２段階の処理に戻る第３５段階と，
　前記第３３段階において，所定時間以内にユーザからのキーデータが入力されないと判断した場合，用紙タイプ設定メニューにて入力された情報を削除した後で用紙タイプは既存の設定値を保持してメニュー初期状態に転換する第３６段階とをさらに含むことを特徴とする請求項５に記載の給紙カセットを備えた装置の用紙タイプ設定方法。
【請求項７】
１つ以上の給紙カセットを備えた装置の用紙タイプ設定方法において，
　前記装置にて発生しうる状況について，前記装置の表示部への表示優先度を設定する第４１段階と，
　前記給紙カセットのうち開状態と閉状態とが順次感知された給紙カセットに用紙が装着されているか否かに基づいて，用紙タイプ設定対象カセットを決定する第４２段階と，
　前記装置にて用紙タイプ設定動作より表示優先度の高い状況が発生していない場合，前記決定された給紙カセットのうちから選択された一つの給紙カセットについて用紙タイプ設定メニューを前記表示部に表示する第４３段階と，
　前記表示部に表示された用紙タイプ設定メニューにてユーザに用紙タイプの設定を要求する第４４段階と，
　を有することを特徴とする給紙カセットを備えた装置の用紙タイプ設定方法。
【請求項８】
前記第４３段階では所定の用紙設定優先度に基づいて，前記決定された給紙カセットのうち用紙タイプ設定メニューを前記表示部に表示する給紙カセットが選択されているか否かを判断することを特徴とする請求項７に記載の給紙カセットを備えた装置の用紙タイプ設定方法。
【請求項９】
前記第４４段階にて用紙タイプ設定動作が進行中に所定時間ユーザからのキーデータ入力がされない場合には，用紙タイプ設定メニューにて入力された情報を削除した後，用紙タイプは既存の設定値を保持してメニュー初期状態に転換する第４５段階をさらに有することを特徴とする請求項７に記載の給紙カセットを備えた装置の用紙タイプ設定方法。
【請求項１０】
前記第４４段階にて用紙タイプ設定動作が進行中に前記用紙タイプ設定動作より前記表示優先度の高い状況が発生した場合には，前記用紙タイプ設定動作を停止した後，前記表示優先度の高い状況についての情報を前記表示部に表示する第４６段階と，
　前記表示優先度の高い状況が解除されるまで待機した後，前記用紙タイプ設定動作を再開する第４７段階とをさらに有することを特徴とする請求項７に記載の給紙カセットを備えた装置の用紙タイプ設定方法。
【請求項１１】
請求項１〜１０のうちいずれか１項に記載された方法を実行するためのプログラムを記録したコンピュータ読取り可能な記録媒体。
【請求項１２】
用紙を供給する１つ以上の給紙カセットを備えた画像形成装置において，
　前記給紙カセットの開閉状態と前記給紙カセットの用紙有無とに基づいて用紙タイプ設定対象カセットを決定し，表示部に前記用紙タイプ設定対象カセットについての用紙タイプ設定メニューを表示するか否かを判断し，前記表示部に前記用紙タイプ設定メニューを表示した場合に，表示された前記用紙タイプ設定メニューにて前記用紙タイプ設定対象カセットに装着された用紙タイプを設定する制御部を備えたことを特徴とする画像形成装置。
【請求項１３】
用紙を供給する１つ以上の給紙カセットを備えた画像形成装置において，
　前記装置にて発生しうる状況について，前記装置の表示部への表示優先度を設定し，前記給紙カセットのうち開状態と閉状態とが順次感知された給紙カセットに用紙が装着されているか否かに基づいて，用紙タイプ設定対象カセットを決定し，前記装置にて用紙タイプ設定動作より表示優先度の高い状況が発生していない場合に，前記決定された給紙カセットのうちから選択された一つの給紙カセットについて用紙タイプ設定メニューを前記表示部に表示し，前記表示部に表示された用紙タイプ設定メニューにてユーザに用紙タイプの設定を要求する制御部を備えたことを特徴とする画像形成装置。
【発明の詳細な説明】
【技術分野】
【０００１】
　本発明は，給紙カセットを利用して用紙を給紙する装置例えばプリンタ，ファクシミリなどの用紙タイプを設定する用紙タイプ設定方法，記録媒体，画像形成装置に関する。
【背景技術】
【０００２】
　一般的にプリンタ，ファクス，複合機などの出力装置としては，少なくとも一つ以上の給紙カセット（用紙カセット）を利用して印刷用紙を給紙するものがある。このような給紙装置の中には，自動的に用紙タイプ（例えばＡ４用紙，Ｂ５用紙等用紙の大きさや，普通用紙，ＯＨＰ用紙等用紙の種類などの用紙タイプ）を感知する機能を備えていないものもある。このような給紙装置では，例えば出力装置本体内に設けられるＣＰＵ（中央処理装置）にて給紙カセットの開状態が感知されれば，操作パネル上に現在開かれているカセットの用紙タイプを変更するのか，そうでなければ現在設定されている値をそのまま使用するのかについてユーザから確認入力を受けるための画面を表示することがある。この時，ユーザが用紙タイプを変更する場合には，上記用紙タイプ設定メニューにて操作パネルの操作などにより新しい用紙タイプに設定する。
【０００３】
【特許文献１】米国特許第５０６５１９８号明細書
【発明の開示】
【発明が解決しようとする課題】
【０００４】
　ところで，このような給紙カセットを開く動作は，ユーザが印刷用紙を装着する時だけではなく，他の状況でも行われる場合がある。このため，給紙カセットの開状態が感知されるたびに用紙タイプ設定メニューが表示されるので，ユーザは不必要な動作を要求されて煩わしいという問題があった。
【０００５】
　また，用紙タイプ設定メニューが操作パネル上に一旦表示されれば，ユーザが確認入力をするまでは用紙タイプ設定メニューが消えないため，ユーザは一連の入力動作を要求されて煩わしいという問題もあった。。
【０００６】
　さらに，用紙タイプ設定メニューが一旦表示されれば，設定動作が完了するまでは消えないため，プリンタなどの出力装置側に他の問題が発生しても，操作パネル上に表示されずにユーザが速かに対処できないという問題もあった。
【０００７】
　そこで，本発明は，このような問題に鑑みてなされたもので，その目的とするところは，給紙カセットの用紙タイプ設定における煩わしさを解消することができ，使い勝手をよくすることができる給紙カセットを備えた装置の用紙タイプ設定方法，記録媒体，画像形成装置を提供するところにある。
【課題を解決するための手段】
【０００８】
　上記課題を解決するために，本発明の第１の観点によれば，１つ以上の給紙カセットを備えた装置の用紙タイプ設定方法において，前記給紙カセットの開閉状態と前記給紙カセットの用紙有無とから用紙タイプ設定対象カセットを決定する第１段階と，前記装置に設けられた表示部に前記用紙タイプ設定対象カセットについての用紙タイプ設定メニューを表示するか否かを判断する第２段階と，前記第２段階における判断の結果，前記表示部に前記用紙タイプ設定メニューを表示した場合に，前記表示部に表示された前記用紙タイプ設定メニューにて前記用紙タイプ設定対象カセットに装着された用紙タイプを設定する第３段階とを有することを特徴とする給紙カセットを備えた装置の用紙タイプ設定方法が提供される。
【０００９】
　このような本発明においては，ユーザが給紙カセットに印刷用紙を装着するときに，表示部に前記用紙タイプ設定対象カセットについての用紙タイプ設定メニューを表示するか否かを判断し，その結果に基づいて用紙タイプ設定メニューを表示するので，用紙タイプの設定が必要なときにのみ用紙タイプ設定メニューを表示させることができる。これにより，ユーザが不必要な動作を要求されて煩わしいという問題を解消することができ，使い勝手をよくすることができる。
【００１０】
　上記課題を解決するために，本発明の第２の観点によれば，１つ以上の給紙カセットを備えた装置の用紙タイプ設定方法において，前記装置にて発生しうる状況について前記装置の表示部への表示優先度を設定する第４１段階と，前記給紙カセットのうち開状態と閉状態とが順次感知された給紙カセットに用紙が装着されているか否かに基づいて，用紙タイプ設定対象カセットと決定する第４２段階と，前記装置にて用紙タイプ設定動作より表示優先度の高い状況が発生していない場合，前記決定された給紙カセットのうちから選択された一つの給紙カセットについて用紙タイプ設定メニューをを前記表示部に表示する第４３段階と，前記表示部に表示された用紙タイプ設定メニューにてユーザに用紙タイプの設定を要求する第４４段階とを有することを特徴とする給紙カセットを備えた装置の用紙タイプ設定方法が提供される。
【００１１】
　この第２の観点において，前記第４４段階にて用紙タイプ設定動作が進行中に所定時間ユーザからのキーデータ入力がされない場合には，用紙タイプ設定メニューにて入力された情報を削除した後，用紙タイプは既存の設定値を保持してメニュー初期状態に転換する第４５段階とをさらに有してもよい。これにより，ユーザは用紙タイプ設定メニューに対して入力動作をまったくしなくても，自動的にメニュー初期状態となるので，ユーザの負担を軽減することができ，使い勝手をよくすることができる。
【００１２】
　また，上記第２の観点において，前記第４４段階にて用紙タイプ設定動作が進行中に前記用紙タイプ設定動作より前記表示優先度の高い状況が発生した場合には，前記用紙タイプ設定動作を停止した後，前記表示優先度の高い状況についての情報を前記表示部に表示する第４６段階と，前記表示優先度の高い状況が解除されるまで待機した後，前記用紙タイプ設定動作を再開する第４７段階とをさらに有するようにしてもよい。これにより，装置側に他の問題（用紙タイプ設定動作より表示優先度の高い状況）が発生した場合には，その状況が直ちに表示されるので，ユーザは速かにその問題に対処でき，使い勝手をよくすることができる。
【００１３】
　上記課題を解決するために，本発明の第３の観点によれば，上記用紙タイプ設定方法をコンピュータで実行するためのプログラムを記録したコンピュータ読取り可能な記録媒体が提供される。
【００１４】
　上記課題を解決するために，本発明の第４の観点によれば，用紙を供給する１つ以上の給紙カセットを備えた画像形成装置において，前記給紙カセットの開閉状態と前記給紙カセットの用紙有無とに基づいて用紙タイプ設定対象カセットを決定し，表示部に前記用紙タイプ設定対象カセットについての用紙タイプ設定メニューを表示するか否かを判断し，前記表示部に前記用紙タイプ設定メニューを表示した場合に，表示された前記用紙タイプ設定メニューにて前記用紙タイプ設定対象カセットに装着された用紙タイプを設定する制御部を備えたことを特徴とする画像形成装置が提供される。
【００１５】
　上記課題を解決するために，本発明の第５の観点によれば，用紙を供給する１つ以上の給紙カセットを備えた画像形成装置において，前記装置にて発生しうる状況について，前記装置の表示部への表示優先度を設定し，前記給紙カセットのうち開状態と閉状態とが順次感知された給紙カセットに用紙が装着されているか否かに基づいて，用紙タイプ設定対象カセットを決定し，前記装置にて用紙タイプ設定動作より表示優先度の高い状況が発生していない場合に，前記決定された給紙カセットのうちから選択された一つの給紙カセットについて用紙タイプ設定メニューを前記表示部に表示し，前記表示部に表示された用紙タイプ設定メニューにてユーザに用紙タイプの設定を要求する制御部を備えたことを特徴とする画像形成装置が提供される。
【発明の効果】
【００１６】
　このように本発明によれば，給紙カセットの用紙タイプ設定においてユーザの不必要な動作を防止することができ，また煩わしさを解消して使い勝手をよくすることができる。
また，装置側に用紙タイプ設定動作より優先度の高い問題状況が発生した場合にはその問題を直ちに表示することができるので，ユーザがその問題に対してさらに速かに対処できる。
【発明を実施するための最良の形態】
【００１７】
　以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１８】
　図１は，本発明が適用される給紙カセットを備えた装置（出力装置）の一例として挙げた画像形成装置例えばプリンタの概略構成を示すブロック図である。このプリンタは，制御部１１，パネル部１２，ＲＯＭ１３，ＲＡＭ１４，例えばパーソナルコンピュータ（パソコン）とのインタフェースであるインタフェース部１５，印刷部１６及び給紙部１７を備える。制御部１１は，制御部本体を構成するＣＰＵ（中央処理装置）などを備える。制御部１１とパネル部１２，ＲＯＭ１３，ＲＡＭ１４，インタフェース部１５，印刷部１６，給紙部１７とはそれぞれ制御バス，データバスなどのバスラインにより相互に接続している。
【００１９】
　上記制御部１１は，設定されたプログラムによりプリンタを全般的に制御するものである。特に給紙部１７にてユーザが印刷用紙を補給する際などに給紙カセットを開いたときには次のような制御を行う。例えば後述する用紙タイプ設定動作より表示優先度（ディスプレイ優先度）の高い状況が発生していない場合には，給紙されたカセットの用紙タイプ設定メニューをパネル部１２に表示し，ユーザが用紙タイプを設定できるように制御し，用紙タイプ設定動作中に一定時間パネル部１２を介してパネル部１２のキー操作に基づくキーデータが入力されない場合，用紙タイプ設定動作を解除してメニュー初期状態を表示するように制御する。また，上記制御部１１は，用紙タイプ設定動作中に表示優先度の高い状況が発生した場合には，当該状況を表示して当該状況が解除されるまで待機した後，用紙タイプ設定動作を再開すべく制御する。なお，これら一連の制御の詳細は後述する。
【００２０】
　パネル部１２はユーザが各種情報を入力可能に多数のキー，制御部１１の制御によりプリンタの状態などを表示する表示窓（表示部）を備える。ＲＯＭ１３にはプリンタの機能を具現するのに必要な各種制御プログラムが保存されており，ＲＡＭ１４には制御プログラムの実行により発生する各種データ及びコンピュータ（図示せず）から受信された印刷データ及び印刷情報が一時的に保存される。
【００２１】
　インタフェース部１５はコンピュータとプリンタとを連結するためのものであり，例えばコンピュータから伝送された印刷情報及び印刷データを受信する。印刷部１６は制御部１１の制御によりＲＡＭ１４から印刷データを入力されて印刷作業を行う。給紙部１７は少なくとも一つ以上の給紙カセットを備え，印刷部１６から印刷データを出力する時に必要な用紙を供給する。
【００２２】
　次に，第１実施形態にかかるプリンタの用紙タイプ設定方法を説明する。本発明では，給紙カセットに用紙を装着後に用紙タイプを設定する。図２は，制御部１１が行う用紙タイプを設定する際の制御を示すフローチャートである。
【００２３】
　図２に示すように，制御部１１は先ずステップＳ２１０にて給紙カセットの開閉状態と給紙カセットの用紙有無とに基づいて用紙タイプ設定対象カセットを決定する（第１段階）。上記給紙カセットの開閉状態は，例えばプリンタに設けられたカセット開閉センサにより検出された検出結果に基づいて判断される。また上記給紙カセットの用紙有無は，例えば各給紙カセット内に設けられた用紙センサからの検出結果に基づいて判断される。
【００２４】
　次いでステップＳ２２０にて事務自動化機器ユーザインタフェース例えばパネル部１２の表示窓に用紙タイプ設定メニューを表示するか否かを決定する（第２段階）。続いてステップＳ２３０にてパネル部１２の表示窓に表示された用紙タイプ設定メニューから給紙カセットに装着された用紙タイプを設定する（第３段階）。
【００２５】
　ここで図２に示す制御をさらに詳細に説明する。図３，図４は，図２に示すフローチャートの詳細を示すフローチャートであり，ステップＳ３１０，Ｓ３２０，Ｓ３３０はそれぞれ図２におけるステップＳ２１０，Ｓ２２０，Ｓ２３０の一例である。
【００２６】
　図２に示すステップＳ２１０における用紙タイプ設定対象カセットを決定するａ段階（図３に示すステップＳ３００）は，例えば制御部１１により次のように制御される。すなわち図３に示すように先ずステップＳ３１１にて例えばカセット開閉センサから給紙カセットの開状態を感知し（第１１段階），開状態が感知された給紙カセットの情報，例えばそれぞれの給紙カセットに割り当てられた識別コード値などを例えば図１に示すＲＡＭ１４に保存する。
【００２７】
　次いでステップＳ３１２にて開状態が感知された給紙カセットのうちいずれの給紙カセットが閉められたかをチェック（確認）し，ステップＳ３１３にてステップＳ３１２で閉状態が感知されたカセットについて例えば用紙センサから用紙が装着されているか否かを判断する（第１２段階）。
【００２８】
　そして，ステップＳ３１３における判断の結果，用紙が装着されている場合には，ステップＳ３１４にてその給紙カセットを用紙タイプ設定対象として決定し，ＲＡＭ１４に記録する（第１３段階）。
【００２９】
　また，ステップＳ３１３における判断の結果，用紙が装着されていない場合には，ステップＳ３１５にてステップＳ３１１で保存された開カセット情報（給紙カセットの開状態情報）から当該給紙カセットの情報を削除して（第１４段階），ステップＳ３１３に戻る。
【００３０】
　図２に示すステップＳ２２０における用紙タイプ設定メニューを表示するか否かを決定するｂ段階（図３に示すステップＳ３２０），図２に示すステップＳ２３０における用紙タイプを設定するｃ段階（図３に示すステップＳ３３０）は，例えば制御部１１により次のように制御される。
【００３１】
　すなわち図３に示すようにステップＳ３２１にて現在表示優先度の高い問題状況が発生しているか否かを判断する（第２１段階）。例えばプリンタにエラーが発生したか否かを判断する。この場合，用紙タイプ設定動作を含めてプリンタで発生しうる全ての問題状況についてあらかじめ表示優先度を設定してＲＡＭ１４に記憶しておくようにしてもよい。
【００３２】
　そして，ステップＳ３２１において，用紙タイプ設定動作より表示優先度の高い問題状況が発生していないと判断した場合には，ステップＳ３２２にてステップＳ３１４でＲＡＭ１４に記録された給紙カセットのうちから用紙タイプ設定メニューを表示する給紙カセットを選択する。この場合，プリンタが備えている複数のカセットについてあらかじめ設定された用紙設定優先度により用紙タイプ設定メニューを表示するカセットが選択される。続いて，ステップＳ３２３にてステップＳ３２２で選択されたカセットの用紙タイプ設定メニューを表示窓に表示する（第２２段階）。
【００３３】
　これに対して，ステップＳ３２１において，用紙タイプ設定動作より表示優先度の高い問題状況が発生したと判断した場合には，ステップＳ３３６に進み，パネル部１２をメニューの初期状態に転換させて上記表示優先度の高い問題状況についての状態情報を表示する（第２３段階）。
【００３４】
　次に，図４に示すステップＳ３３１にて表示された用紙タイプ設定メニューでユーザにより入力されたキーデータに基づいて用紙タイプ設定動作を開始し，ステップＳ３３２にて用紙タイプ設定動作が完了したか否かを判断する（第３２段階）。
【００３５】
　そして，ステップＳ３３２における判断の結果，用紙タイプ設定動作が完了した場合には，ステップＳ３３３にてステップＳ３１４で記録した給紙カセットのうち用紙タイプを設定しなければならない給紙カセットがさらにあるか否かを判断する。ステップＳ３３３における判断の結果，給紙カセットがさらにある場合には，ステップＳ３２１に戻り（第３４段階），給紙カセットがさらにない場合にはプログラムを終了する。
【００３６】
　一方，ステップＳ３３２における判断の結果，用紙タイプ設定動作が完了していない場合には，ステップＳ３３４にて設定された所定時間例えば１分間だけパネル部１２からのキーデータ入力有無をチェックする（第３３段階）。
【００３７】
　そして，ステップＳ３３４においてキーデータが入力されたと判断した場合にはステップＳ３３２に戻る（第３５段階）。一方，ステップＳ３３４においてキーデータが入力されていないと判断した場合にはステップＳ３３５にてステップＳ３３１で入力された用紙タイプ設定情報を削除した後，ステップＳ３３６にて用紙タイプは既存の設定値を保持してメニューを初期状態に転換する（第３６段階）。
【００３８】
　このように，本実施形態によれば，まず開状態と閉状態とが順次感知された給紙カセットをチェックし，チェックされた給紙カセットに用紙が装着されている場合には用紙タイプ設定対象に分類する。次に，現在状態にて用紙タイプ設定動作の表示優先度が最も高い場合には，チェックされた給紙カセットのうち選択された給紙カセットについての用紙タイプ設定メニューを表示する。用紙タイプ設定動作中に設定された所定時間ユーザからキーデータが入力されない場合には，用紙タイプ設定メニューにて入力されたデータを削除し，用紙タイプは既存の設定値を保持してメニューを初期状態に転換させる。
【００３９】
　次に，第２実施形態にかかるプリンタの用紙タイプ設定方法を説明する。本実施形態におけるプリンタの構成は図１と同様である。図５は，制御部１１が行う用紙タイプを設定する際の設定方法の制御を示すフローチャートである。
【００４０】
　図５に示すように，制御部１１は先ずステップＳ４１０にて用紙タイプ設定動作を開始し，ステップＳ４２０にて表示優先度の高い問題状況に対する処理を行い，ステップＳ４３０にて用紙タイプ設定動作を完了する処理を行う。図４に示す用紙タイプ設定動作の開始段階以前の過程（ステップＳ３３１〜ステップＳ３２３）は図５に示す処理においても同様に適用される（第４１段階，第４２段階）。
【００４１】
　ステップＳ４２０における表示優先度の高い問題状況に対する処理は，さらに以下のように処理される。Ｓ４１０段階にて用紙タイプ設定動作を開始した後（第４３段階〜第４５段階），ステップＳ４２１にて設定された所定時間ごとに用紙タイプ設定動作より表示優先度の高い問題状況が発生したか否かをチェックする。
【００４２】
　そして，ステップＳ４２１にて用紙タイプ設定動作より表示優先度の高い問題状況が発生していないと判断した場合にはステップＳ４３０にて用紙タイプ設定動作を完了する。一方，ステップＳ４２１にて表示優先度の高い問題状況が発生したと判断した場合にはステップＳ４２２にて用紙タイプ設定動作を一時的に停止させた後，ステップＳ４２３にて上記表示優先度の高い問題状況についての情報を表示する（第４６段階）。
【００４３】
　続いて，ステップＳ４２４にて上記表示優先度の高い問題状況が解除されているか否かを判断する。ステップＳ４２４にて上記表示優先度の高い問題状況が解除されていると判断した場合にはステップＳ４２５にて用紙タイプ設定動作を再開し（第４７段階），ステップＳ４２４にて上記表示優先度の高い問題状況が解除されていないと判断した場合にはステップＳ４２２に戻り，続けて問題状況についての状態情報を表示する。
【００４４】
　このように，第２の実施形態によれば，先ず開状態と閉状態とが順次感知された給紙カセットをチェックし，チェックされた給紙カセットに用紙が装着されている場合，用紙タイプ設定対象に決定する。次に現在状態にて，用紙タイプ設定動作より表示優先度の高い状況が発生していない場合，チェックされた給紙カセットのうち選択された給紙カセットについての用紙タイプ設定メニューを表示する。用紙タイプ設定動作中に表示優先度の高い問題状況が発生した場合，その問題状況が解除されるまで用紙タイプ設定動作を一時停止した後でその問題状況についての状態情報を表示する。上記表示優先度の高い問題状況が解除されれば，用紙タイプ設定動作を再開する。
【００４５】
　以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００４６】
　例えば，本発明による給紙後の用紙タイプ設定方法は，図３Ａ，図３Ｂ及び図４にそれぞれ示された第１実施形態と第２実施形態とを混合して具現することも可能である。
【００４７】
　また，上記第１及び第２の実施形態では出力装置として複数のカセットを備えたプリンタを例に挙げたが，本発明による用紙タイプ設定方法は一般的にプリント機能を備えた複合機やファクシミリのような画像形成装置を含む事務自動化機器についても容易に適用できる。
【００４８】
　また，上記第１及び第２の実施形態は，コンピュータで実行できるプログラムとして作成可能であり，コンピュータで読み込める記録媒体を利用して上記プログラムを動作する汎用ディジタルコンピュータにて具現できる。コンピュータで読む込める記録媒体は，例えばＲＯＭ，フロッピー（登録商標）ディスク，ハードディスクのようなマグネチック記録媒体であってもよく，また例えばＣＤ−ＲＯＭ，ＤＶＤのような光学的記録媒体であってもよく，また例えばインターネットを介した伝送のようなキャリアウェーブのような記録媒体であってもよい。
【産業上の利用可能性】
【００４９】
　本発明は，例えば給紙カセットを利用して印刷用紙を給紙するプリンタやプリンタ機能を備えた複合機，ファクシミリなどの画像形成装置を含む出力装置に適用可能である。
【図面の簡単な説明】
【００５０】
【図１】本発明の第１の実施形態にかかるプリンタの概略構成を示すブロック図である。
【図２】本実施形態にかかる用紙タイプ設定方法のフローチャートを示す図である。
【図３】本実施形態にかかる用紙タイプ設定方法のフローチャートを示す図であって，図２に示すフローチャートをさらに詳細にしたものである。
【図４】本実施形態にかかる用紙タイプ設定方法のフローチャートを示す図であって，図３に示すフローチャートの続きを示す図である。
【図５】本発明の第２の実施形態にかかる用紙タイプ設定方法のフローチャートを示す図である。
【符号の説明】
【００５１】
　１１　　　制御部
　１２　　　パネル部
　１３　　　ＲＯＭ
　１４　　　ＲＡＭ
　１５　　　パソコンインタフェース部
　１６　　　印刷部
　１７　　　給紙部
【図１】
2004034711.tif 000003
【図２】
2004034711.tif 000004
【図３】
2004034711.tif 000005
【図４】
2004034711.tif 000006
【図５】
2004034711.tif 000007